(57)【特許請求の範囲】
【請求項１】
携帯型画像送信装置と携帯型画像受信装置とからなる携帯型画像通信システムにおいて，
上記携帯型画像送信装置が，
本画像に対応する転送用縮小画像を表す縮小画像データを上記携帯型画像受信装置に送信する縮小画像データ送信手段を備え，
上記携帯型画像受信装置が，
上記携帯型画像受信装置の上記縮小画像データ送信手段から送信された縮小画像データを受信する縮小画像データ受信手段，および
上記縮小画像データ受信手段によって上記縮小画像データの受信が終了したことに応じて上記携帯型画像送信装置に受信終了データを送信する受信終了データ送信手段を備え，
上記携帯型画像送信装置が，
上記受信終了データ送信手段から送信された受信終了データを受信する終了データ受信手段，
上記終了データ受信手段によって上記受信終了データを受信したことに応じて上記本画像を表す本画像データを上記携帯型画像受信装置に送信する本画像データ送信手段，および
上記本画像データ送信手段による本画像データの送信に応答して上記転送用縮小画像が表示画面の一方向に移動しながら徐々に消えるように表示する送信側表示装置をさらに備え，
上記携帯型画像受信装置が，
上記携帯型画像送信装置から送信された本画像データを受信する本画像データ受信手段，および
上記本画像データ受信手段による本画像データの受信に応答して上記転送用縮小画像が表示画面の一方向に移動しながら徐々に現れるように表示する受信側表示装置をさらに備え，
上記縮小画像データ送信手段および上記本画像データ送信手段が携帯型画像送信装置の端面に設けられた無線通信装置であり，
上記送信側表示装置が，上記本画像データ送信手段による本画像データの送信に応答して上記転送用縮小画像が正立方向から時計回りに90度回転しながら，上記無線通信装置が設けられている側である表示画面の一方向に移動し，回転終了前または後に徐々に消えるように表示するものであり，
上記縮小画像データ受信手段および上記本画像データ受信手段が携帯型画像受信装置の端面に設けられた無線通信装置であり，
上記受信側表示装置が，上記本画像データ受信手段による本画像データの受信に応答して上記転送用縮小画像が正立方向から時計回りに90度回転した画像が，上記無線通信装置が設けられている側である表示画面の一方向に移動しながら徐々に現れ，一駒分の上記転送用縮小画像がすべて現れる前またはすべて現れた後にさらに時計回りに90度回転しながら正立方向の上記転送用縮小画像を表示するものである，
携帯型画像受信装置。
【請求項２】
本画像に対応する転送用縮小画像を表す縮小画像データを携帯型画像受信装置に送信する縮小画像データ送信手段，
上記縮小画像データ送信手段から上記携帯型画像受信装置への縮小画像データへの送信に応じて，上記携帯型画像受信装置から送信され，かつ上記縮小画像データの受信が終了したことを示す受信終了データを受信する終了データ受信手段，
上記終了データ受信手段によって上記受信終了データを受信したことに応じて上記本画像を表す本画像データを上記携帯型画像受信装置に送信する本画像データ送信手段，および
上記本画像データ送信手段による本画像データの送信に応答して上記転送用縮小画像が表示画面の一方向に移動しながら徐々に消えるように表示する送信側表示装置，
を備え，
上記縮小画像データ送信手段および上記本画像データ送信手段が携帯型画像送信装置の端面に設けられた無線通信装置であり，
上記送信側表示装置が，上記本画像データ送信手段による本画像データの送信に応答して上記転送用縮小画像が正立方向から時計回りに90度回転しながら，上記無線通信装置が設けられている側である表示画面の一方向に移動し，回転終了前または後に徐々に消えるように表示するものである，
携帯型画像送信装置。
【請求項３】
上記転送用縮小画像は，上記移動開始後に上記回転処理が行われるものである，請求項２に記載の携帯型画像送信装置。
【請求項４】
携帯型画像送信装置から送信された本画像に対応する転送用縮小画像を表す縮小画像データを受信する縮小画像データ受信手段，
上記縮小画像データ受信手段によって上記縮小画像データの受信が終了したことに応じて上記携帯型画像送信装置に受信終了データを送信する受信終了データ送信手段，
上記受信終了データ送信手段から上記携帯型画像送信装置に受信終了データが送信されたことに応じて，上記携帯型画像送信装置から送信される本画像データを受信する本画像データ受信手段，および
上記本画像データ受信手段による本画像データの受信に応答して上記転送用縮小画像が表示画面の一方向に移動しながら徐々に現れるように表示する受信側表示装置，
を備え，
上記縮小画像データ受信手段および上記本画像データ受信手段が携帯型画像受信装置の端面に設けられた無線通信装置であり，
上記受信側表示装置が，上記本画像データ受信手段による本画像データの受信に応答して上記転送用縮小画像が正立方向から時計回りに90度回転した画像が，上記無線通信装置が設けられている側である表示画面の一方向に移動しながら徐々に現れ，一駒分の上記転送用縮小画像がすべて現れる前またはすべて現れた後にさらに時計回りに90度回転しながら正立方向の上記転送用縮小画像を表示するものである，
携帯型画像受信装置。
【請求項５】
縮小画像データ送信手段が，本画像に対応する転送用縮小画像を表す縮小画像データを携帯型画像受信装置に送信し，
終了データ受信手段が，上記縮小画像データ送信手段から上記携帯型画像受信装置への縮小画像データへの送信に応じて，上記携帯型画像受信装置から送信され，かつ上記縮小画像データの受信が終了したことを示す受信終了データを受信し，
本画像データ送信手段が，上記終了データ受信手段によって上記受信終了データを受信したことに応じて上記本画像を表す本画像データを上記携帯型画像受信装置に送信し，
送信側表示装置が，上記本画像データ送信手段による本画像データの送信に応答して上記転送用縮小画像が表示画面の一方向に移動しながら徐々に消えるように表示するものであり，
上記縮小画像データ送信手段および上記本画像データ送信手段が携帯型画像送信装置の端面に設けられた無線通信装置であり，
上記送信側表示装置が，上記本画像データ送信手段による本画像データの送信に応答して上記転送用縮小画像が正立方向から時計回りに90度回転しながら，上記無線通信装置が設けられている側である表示画面の一方向に移動し，回転終了前または後に徐々に消えるように表示するものである，
携帯型画像送信装置の制御方法。
【請求項６】
縮小画像データ受信手段が，携帯型画像送信装置から送信された本画像に対応する転送用縮小画像を表す縮小画像データを受信し，
受信終了データ送信手段が，上記縮小画像データ受信手段によって上記縮小画像データの受信が終了したことに応じて上記携帯型画像送信装置に受信終了データを送信し，
本画像データ受信手段が，上記受信終了データ送信手段から上記携帯型画像送信装置に受信終了データが送信されたことに応じて，上記携帯型画像送信装置から送信される本画像データを受信し，
受信側表示装置が，上記本画像データ受信手段による本画像データの受信に応答して上記転送用縮小画像が表示画面の一方向に移動しながら徐々に現れるように表示するものであり，
上記縮小画像データ受信手段および上記本画像データ受信手段が携帯型画像受信装置の端面に設けられた無線通信装置であり，
上記受信側表示装置が，上記本画像データ受信手段による本画像データの受信に応答して上記転送用縮小画像が正立方向から時計回りに90度回転した画像が，上記無線通信装置が設けられている側である表示画面の一方向に移動しながら徐々に現れ，一駒分の上記転送用縮小画像がすべて現れる前またはすべて現れた後にさらに時計回りに90度回転しながら正立方向の上記転送用縮小画像を表示するものである，
携帯型画像受信装置の制御方法。
【発明の詳細な説明】
【技術分野】
【０００１】
この発明は，携帯型画像通信システムならびにそのシステムを構成する送信装置および受信装置ならびにそれらの制御方法に関する。
【背景技術】
【０００２】
一のディジタル・スチル・カメラから他のディジタル・スチル・カメラに画像データを送信することがある。このような送信により，一のディジタル・スチル・カメラを用いた撮影によって得られた画像データを他のディジタル・スチル・カメラに記憶させることができる。画像データの送信状況をユーザに知らせるために，複数枚の画像のうち送信が終了した枚数を知らせるものがある（特許文献１）。
【特許文献１】特開2005-175794号公報
【０００３】
また，コンピュータ，プリンタ，ファクシミリなどの装置に画像データを送信する場合にアニメーションが表示されるようなものもある（特許文献２）。
【特許文献２】特開2000-137827号公報
【０００４】
しかしながら，どのような画像が送信されているかはユーザは分からない。
【発明の開示】
【０００５】
この発明は，どのような画像が送信されているかユーザが分かるようにすることを目的とする。
【０００６】
この発明は，携帯型画像送信装置と携帯型画像受信装置とからなる携帯型画像通信システムについてのものである。
【０００７】
上記携帯型画像送信装置は，本画像に対応する転送用縮小画像を表す縮小画像データを上記携帯型画像受信装置に送信する縮小画像データ送信手段を備えており，上記携帯型画像受信装置は，上記携帯型画像受信装置の上記縮小画像データ送信手段から送信された縮小画像データを受信する縮小画像データ受信手段，および上記縮小画像データ受信手段によって上記縮小画像データの受信が終了したことに応じて上記携帯型画像送信装置に受信終了データを送信する受信終了データ送信手段を備えている。
【０００８】
上記携帯型画像送信装置は，上記受信終了データ送信手段から送信された受信終了データを受信する終了データ受信手段，上記終了データ受信手段によって上記受信終了データを受信したことに応じて上記本画像を表す本画像データを上記携帯型画像受信装置に送信する本画像データ送信手段，および上記本画像データ送信手段による本画像データの送信に応答して上記転送用縮小画像が表示画面の一方向に移動しながら徐々に消えるように表示する送信側表示装置をさらに備え，上記携帯型画像受信装置は，上記携帯型画像送信装置から送信された本画像データを受信する本画像データ受信手段，および上記本画像データ受信手段による本画像データの受信に応答して上記転送用縮小画像が表示画面の一方向に移動しながら徐々に現れるように表示する受信側表示装置をさらに備えている。
【０００９】
上記携帯型画像通信システムを構成する携帯型画像送信装置および携帯型画像受信装置をそれぞれ単独で構成してもよい。
【００１０】
また，この発明は，上記携帯型画像送信装置を制御する方法についても提供している。すなわち，この方法は，本画像に対応する転送用縮小画像を表す縮小画像データを携帯型画像受信装置に送信し，上記携帯型画像受信装置への縮小画像データへの送信に応じて，上記携帯型画像受信装置から送信され，かつ上記縮小画像データの受信が終了したことを示す受信終了データを受信し，上記受信終了データを受信したことに応じて上記本画像を表す本画像データを上記携帯型画像受信装置に送信し，本画像データの送信に応答して上記転送用縮小画像が表示画面の一方向に移動しながら徐々に消えるように表示するものである。
【００１１】
さらに，この発明は，上記携帯型画像受信装置を制御する方法についても提供している。すなわち，この方法は，携帯型画像送信装置から送信された本画像に対応する転送用縮小画像を表す縮小画像データを受信し，上記縮小画像データの受信が終了したことに応じて上記携帯型画像送信装置に受信終了データを送信し，上記携帯型画像送信装置に受信終了データが送信されたことに応じて，上記携帯型画像送信装置から送信される本画像データを受信し，本画像データの受信に応答して上記転送用縮小画像が表示画面の一方向に移動しながら徐々に現れるように表示するものである。
【００１２】
この発明によると，上記携帯型画像送信装置から上記携帯型画像受信装置に本画像に対応する転送用縮小画像を表す縮小画像データが送信される。上記携帯型画像受信装置において，縮小画像データが受信され，その受信が終了すると，受信終了データが上記携帯型画像受信装置から上記携帯型画像送信装置に送信される。受信終了データが上記携帯型画像送信装置において受信されると，すでに送信した縮小画像データに対応する本画像データが上記画像送信装置から上記画像受信装置に送信され，かつ転送用縮小画像が表示画面の一方向に移動しながら徐々に消えるように上記画像送信装置の送信側表示装置の表示画面に表示される。上記画像受信装置において，上記画像送信装置から送信された本画像データが受信されると，上記転送用縮小画像が表示画面の一方向に移動しながら徐々に現れるように受信側表示装置の表示画面に表示される。
【００１３】
上記画像送信装置から上記画像受信装置に送信されている本画像データに対応する転送用縮小画像が上記画像送信装置から上記画像受信装置に移動するように表示されるから，どのような画像を表す本画像データが上記画像送信装置から上記画像受信装置に送信されているのかが一見して分かる。また，上記転送用縮小画像の表示を見ることにより本画像データの送信中であることを確認できる。さらに，本画像データの送信前に縮小画像データの送信が終了しているので，上記画像受信装置において本画像データと縮小画像データとを比較することにより，受信できていない本画像データを探し出すことができる。
【００１４】
上記携帯型画像送信装置において，上記縮小画像データ送信手段および上記本画像データ送信手段は，たとえば，携帯型画像送信装置の端面に設けられた無線通信装置である。この場合，上記送信側表示装置は，上記本画像データ送信手段による本画像データの送信に応答して上記転送用縮小画像が，上記無線通信装置が設けられている側である表示画面の一方向に移動しながら徐々に消えるように表示するものとなろう。
【００１５】
この場合，上記携帯型画像受信装置において，上記縮小画像データ受信手段および上記本画像データ受信手段も携帯型画像受信装置の端面に設けられた無線通信装置となろう。そして，上記受信側表示装置は，上記本画像データ受信手段による本画像データの受信に応答して上記転送用縮小画像が，上記無線通信装置が設けられている側である表示画面の一方向に移動しながら徐々に現れるように表示するものとなろう。
【００１６】
上記縮小画像データ送信手段による縮小画像データの送信に応答して上記転送用縮小画像の上下が反転した画像が，上記無線通信装置が設けられている側である表示画面の一方向に移動しながら徐々に重なって表示されるように上記表示装置を制御する表示制御手段をさらに備えてもよい。
【００１７】
また，上記送信側表示装置は，上記本画像データ送信手段による本画像データの送信に応答して上記転送用縮小画像が正立方向から時計回りに90度回転しながら，上記無線通信装置が設けられている側である表示画面の一方向に移動し，回転終了前または後に徐々に消えるように表示するものでもよい。
【００１８】
この場合，上記携帯型画像受信装置の受信側表示装置は，上記本画像データ受信手段による本画像データの受信に応答して上記転送用縮小画像が正立方向から時計回りに90度回転した画像が，上記無線通信装置が設けられている側である表示画面の一方向に移動しながら徐々に現れ，一駒分の上記転送用縮小画像がすべて現れる前またはすべて現れた後にさらに時計回りに90度回転しながら正立方向の上記転送用縮小画像を表示するものとなろう。
【００１９】
さらに，上記携帯型画像送信装置の送信側表示装置は，上記転送用縮小画像が，上記移動開始後に上記回転処理が行われるものでもよい。
【００２０】
この場合，上記携帯型画像受信装置の受信側表示装置は，上記転送用縮小画像は，上記さらに時計回りに90度回転するように上記一方向に移動するものでもよい。
【００２１】
上記携帯型画像受信装置の上記受信側表示装置は，上記本画像データ受信手段による本画像データの受信に応答して上記転送用縮小画像の上下が反転した画像が，上記無線通信装置が設けられている側である表示画面の一方向に移動しながら徐々に現れるように表示するものでもよい。
【００２２】
上記携帯型画像送信装置の上記送信側表示装置は，上記本画像データ送信手段による本画像データの送信に応答して上記転送用縮小画像が，上記無線通信装置が設けられている側である表示画面の一方向に移動しつつ，かつ徐々に縮小されながら消えるように表示するものでもよい。
【００２３】
この場合，上記携帯型画像受信装置の上記受信側表示装置は，上記本画像データ受信手段による本画像データの受信に応答して上記転送用縮小画像が表示画面の一方向に移動しつつ，かつ徐々に拡大されながら現れるように表示するものが好ましい。
【００２４】
さらに，上記携帯型画像送信装置は，上記本画像データ送信手段による本画像データの送信に応答して上記転送用縮小画像が，上記無線通信装置が設けられている側である表示画面の一方向に移動しつつ，正立状態から倒立状態に回転しながら重なって表示されるように上記表示装置を制御する表示制御手段をさらに備えてもよい。
【００２５】
上記縮小画像データ送信手段による縮小画像データの送信に応答して上記転送用縮小画像が正立方向から時計回りに90度回転しながら，上記無線通信装置が設けられている側である表示画面の一方向に重なって表示されるように上記表示装置を制御する表示制御手段をさらに備えてもよい。
【実施例】
【００２６】
図１は，この発明の実施例を示すもので，ディジタル・スチル・カメラの背面図である。
【００２７】
この実施例によるディジタル・スチル・カメラ１は，画像データを送受信できるものである。
【００２８】
ディジタル・スチル・カメラ１の上面の右側には，シャッタ・レリーズ・ボタン２が設けられている。
【００２９】
ディジタル・スチル・カメラ１の背面には，そのほぼ全体に渡って液晶表示装置の表示画面７が形成されている。この表示画面７の右上には，上下左右の矢印が押下可能に形成されているいわゆる十字キー３が設けられている。十字キー３の下には，送信すべき画像データを決定するときにユーザによって押される決定ボタン４および画像データの送信を開始する送信ボタン５が設けられている。これらの決定ボタン４および送信ボタン５の下にはモード設定ダイアル６が設けられている。モード設定ダイアル６によって設定可能なモードには撮像モード，再生モード，送信モード，受信モードなどがある。
【００３０】
ディジタル・スチル・カメラ１の左側面（背面から見て左側の側面）には，画像データの送受信のための通信装置の入出力部分８が形成されている。
【００３１】
図２は，ディジタル・スチル・カメラ１の電気的構成を示すブロック図である。
【００３２】
ディジタル・スチル・カメラ１の全体の動作は，ＣＰＵ10によって統括される。
【００３３】
ディジタル・スチル・カメラ１には，上述したようにシャッタ・レリーズ・ボタン２などの各種ボタン類を含む操作器12が含まれている。この操作器12からの出力信号は，ＣＰＵ10に入力する。
【００３４】
撮像モードが設定されると，撮像装置11によって撮像された被写体像を表す本画像データは，ＣＰＵ10を介して画像処理装置13に入力する。画像処理装置13において所定の画像処理が行われて表示装置15に与えられることにより，表示装置15の表示画面上に被写体像が表示される。シャッタ・レリーズ・ボタンが押されると，上述のようにして得られた本画像データが記憶装置14に与えられ，記憶される。
【００３５】
画像処理装置13は，後述するように，転送用縮小画像が移動，回転等するような画像を表示するための処理（表示用のメモリ・マッピング処理）も行うものである。
【００３６】
送信モードが設定されると，ユーザによって選択された画像のうち，転送用縮小画像データが赤外線通信装置16から受信側のディジタル・スチル・カメラに送信される。転送用縮小画像データの送信後に本画像データが赤外線通信装置16から受信側のディジタル・スチル・カメラに送信される。本画像データの送信中には，表示装置15の表示画面に，その本画像データに対応する転送用縮小画像データによって表される転送用縮小画像が受信側のディジタル・スチル・カメラに送られるように移動しながら表示される。ユーザは，表示されている転送用縮小画像を見ることにより，画像データの送信処理中であることが分かり，かつどのような被写体像を表す画像データが送信されているかを確認できる。転送用縮小画像データのデータ量は赤外線通信装置16の送信速度および表示装置15の表示速度に応じて決定される。一般的には転送用縮小画像データのデータ量は本画像データのデータ量よりも少なくなると考えられよう。また，転送用縮小画像データは，本画像データが記憶装置14に記憶されるときにあらかじめ生成されてもよいし，送信モードが設定されて送信すべき画像が決定された後に生成されてもよい。
【００３７】
受信側のディジタル・スチル・カメラでは受信モードが設定される。送信側のディジタル・スチル・カメラ１から送信された転送用縮小画像データは受信側のディジタル・スチル・カメラに記憶される。本画像データが受信されると，受信している本画像データに対応した転送用縮小画像データによって表される転送用縮小画像が，受信側の表示装置の表示画面上に移動しながら表示される。受信側のディジタル・スチル・カメラにおいても，ユーザは，表示されている転送用縮小画像を見ることにより，画像データの送信処理中であることが分かり，かつどのような被写体像を表す画像データが受信されているかを確認できる。転送用縮小画像データのデータ量は，受信側のディジタル・スチル・カメラの赤外線通信装置の受信速度および表示装置の表示速度も考慮して決定されるのはいうまでもない。
【００３８】
図３は，送信側のディジタル・スチル・カメラと受信側のディジタル・スチル・カメラとを用いて画像データの送受信を行っている様子を示している。
【００３９】
送信側のユーザ（の右手）61Ａが送信側のディジタル・スチル・カメラ１Ａを持ち，受信側のユーザ（の右手）61Ｂが受信側のディジタル・スチル・カメラ１Ｂを持っている。送信側のディジタル・スチル・カメラ１Ａおよび受信側のディジタル・スチル・カメラ１Ｂを構成する各部分の符号は，図１において説明した各部分の符号にＡおよびＢを付し，重複説明を省略する。
【００４０】
送信側のディジタル・スチル・カメラ１Ａの通信装置の入出力部分８Ａと受信側のディジタル・スチル・カメラ１Ｂの通信装置の入出力部分８Ｂとが向かい合うように送信側のユーザ61Ａによって送信側のディジタル・スチル・カメラ１Ａが持たれ，かつ受信側のユーザ61Ｂによって受信側のディジタル・スチル・カメラ１Ｂが持たれている。
【００４１】
上述したように，本画像データの送受信時には送信側のディジタル・スチル・カメラ１Ａから受信側のディジタル・スチル・カメラ１Ｂに画像９が移動するように，送信側のディジタル・スチル・カメラ１Ａの表示画面７Ａおよび受信側のディジタル・スチル・カメラ１Ｂの表示画面７Ｂに表示される。
【００４２】
図４から図７は，送信側のディジタル・スチル・カメラ１Ａ（送信側カメラ１Ａという）から受信側のディジタル・スチル・カメラ１Ｂ（受信側カメラ１Ｂという）に本画像データを送信するときの処理手順を示すフローチャートである。図４および図５は，送信側カメラ１Ａの処理手順を示すフローチャートであり，図６および図７は，受信側カメラ１Ｂの処理手順を示すフローチャートである。
【００４３】
送信側カメラ１Ａが送信モードに設定される（図４ステップ21）。すると，送信側の表示画面７Ａには，記憶されている画像データによって表されるサムネイル画像が一覧で表示される。表示されたサムネイル画像の中から受信側カメラ１Ｂに送信すべき画像データに対応するサムネイル画像が選択される（図４ステップ22）。つづいて，送信側カメラ１Ａのユーザによって通信装置の入出力部分８Ａが受信側カメラ１Ｂに向けられる（図４ステップ23）。
【００４４】
受信側カメラ１Ｂは受信モードに設定される（図６ステップ41）。受信側カメラ１Ｂのユーザによって通信装置の入出力部分８Ｂが送信側カメラ１Ａに向けられる（図６ステップ42）。
【００４５】
送信側カメラ１Ａと受信側カメラ１Ｂとは図３に示すように，通信装置の入出力部分８Ａと８Ｂとが向かい合うようになる。
【００４６】
送信側カメラ１Ａの送信ボタン４Ａが押されると（図４ステップ24でＹＥＳ），通信要求が送信側カメラ１Ａから受信側カメラ１Ｂに送信される（図４ステップ25）。受信側カメラ１Ｂにおいて通信要求が受信されると（図６ステップ43でＹＥＳ），通信応答が受信側カメラ１Ｂから送信側カメラ１Ａに送信される（図６ステップ44）。
【００４７】
受信側カメラ１Ｂから送信された通信応答が，送信側カメラ１Ａにおいて受信されると（図４ステップ26でＹＥＳ），選択された画像に対応する転送用縮小画像データが送信側カメラ１Ａから受信側カメラ１Ｂに送信される（図５ステップ27）。選択されたすべての画像に対応するすべての転送用縮小画像データの送信が終了する前に（図５ステップ28でＮＯ），通信が切断されると（図５ステップ29でＹＥＳ），所定のエラー処理が行われる。
【００４８】
送信側カメラ１Ａから送信された転送用縮小画像データは受信側カメラ１Ｂにおいて受信される（図７ステップ45）。送信側カメラ１Ａから送信されるすべての転送用縮小画像データが受信される前に（図７ステップ46でＮＯ），通信が終了すると（図７ステップ47でＹＥＳ），所定のエラー処理が行われる。送信側カメラ１Ａから送信されるすべての転送用縮小画像データが受信側カメラ１Ｂにおいて受信されると（図７ステップ46でＹＥＳ），受信終了を示すデータが受信側カメラ１Ｂから送信側カメラ１Ａに送信される（図７ステップ48）。
【００４９】
受信側カメラ１Ｂから送信された受信終了を示すデータが送信側カメラ１Ａにおいて受信されると（図５ステップ30でＹＥＳ），送信された転送用縮小画像データに対応する本画像データが記憶装置から読み出され，受信側カメラ１Ｂに送信される（図５ステップ31）。本画像データの送信中には，上述したように，送信中の本画像データに対応いる転送用縮小画像データによって表される転送用縮小画像が受信側カメラ１Ｂに向かって移動するように送信側カメラ１Ａの表示画面上に表示される（図５ステップ32）。
【００５０】
送信側カメラ１Ａから送信された本画像データが受信側カメラ１Ｂにおいて受信される（図７ステップ49）。本画像データの受信中は，受信側カメラ１Ｂの表示画面には，受信している本画像データに対応した転送用縮小画像が送信側カメラ１Ａから移動してきているように受信側カメラ１Ｂの表示画面に表示される（図７ステップ50）。
【００５１】
送信側カメラ１Ａにおいては，すべての本画像データの送信が終了するまでに（図５ステップ33でＮＯ），通信が切断されると（ステップ34でＹＥＳ），所定のエラー処理が行われる。すべての本画像データの送信が終了するまで本画像データの送信および転送用縮小画像の表示が行われる（図５ステップ31，32）。
【００５２】
受信側カメラ１Ｂにおいては，すべての本画像データの受信が終了するまでに（図７ステップ51でＮＯ），通信が切断されると（ステップ52でＹＥＳ），所定のエラー処理が行われる。すべての本画像データの受信が終了するまで本画像データの受信および転送用縮小画像の表示が行われる（図７ステップ51，52）。
【００５３】
図８は，送信側のユーザ61Ａが送信側カメラ１Ａを持ち，受信側のユーザ61Ｂが受信側カメラ１Ｂを持って画像データの送受信を行っている様子を上から表している。
【００５４】
送信側カメラ１Ａの通信装置の入出力部と受信側カメラ１Ｂの通信装置の入出力部とが互いに向き合うようにした場合，送信側カメラ１Ａの上下方向と受信側カメラ１Ｂの上下方向とは互いに逆となる（シャッタ・レリーズ・ボタンが設けられている面を上とする。図３も参照）。このために，送信側カメラ１Ａに転送用縮小画像が表示される場合と受信側カメラ１Ｂに転送用縮小画像画表示される場合とで上下が反転し，かつ移動方向が左右逆（送信側カメラ１Ａでは入出力部８Ａに近づくように，受信側カメラ１Ｂでは入出力部８Ｂから離れるように）でなければ，送信側カメラ１Ａから受信側カメラ１Ｂに画像が移動したように見えない。
【００５５】
図９（Ａ）〜（Ｂ）から図15（Ａ）〜（Ｄ）は，転送用縮小画像が表示される様子を示している。これらの図において図３に示すものと同一物については同一符号を付して説明を省略する。また，これらの図においては，本画像データを送受信している時だけでなく，転送用縮小画像データを送受信している時も送信側カメラ１Ａの表示画面７Ａには転送用縮小画像が表示されているが，転送用縮小画像データの送受信時には転送用縮小画像は必ずしも表示されなくともよい。これらの表示は，上述のように転送用縮小画像データのメモリへのマッピング処理により実現できるのはいうまでもない。
【００５６】
図９（Ａ）は，転送用縮小画像データの送受信時の様子である。
【００５７】
送信側の表示画面７Ａには，上下が反転した転送用縮小画像71Ａが表示される。この転送用縮小画像71Ａは，ユーザによって選択された画像が複数駒の場合には，上下が反転された転送用縮小画像71Ａが重ねられるように表示される。ユーザ61Ａおよび61Ｂは，転送用縮小画像71Ａを見ることにより，本画像データの送信準備が行われていることが分かる。
【００５８】
転送用縮小画像データの送受信時には，受信側カメラ１Ｂには転送用縮小画像データは，まだ受信されていないから，転送用縮小画像は表示されずに「受信確立中」の文字が表示される。
【００５９】
図９（Ｂ）は，本画像データの送受信時の様子である。
【００６０】
送信側の表示画面７Ａには，転送用縮小画像データ送受信時に重ねられていた転送用縮小画像71Ａが一駒ずつ入出力部８Ａ側に移動する画像が表示される。
【００６１】
受信側の表示画面７Ｂには，転送用縮小画像71Ｂが一駒ずつ入出力側８Ｂから離れる画像が重ねられるように表示される。
【００６２】
送信側の表示画面７Ａには上下が反転されている転送用縮小画像71Ａが表示されるので，あたかも画像自体が送信側カメラ１Ａから受信側カメラ１Ｂに移動しているように見え，違和感が無い。
【００６３】
図10（Ａ）から（Ｄ）は，別の変形例を示している。これらの図においても図３に示すものと同一物については同一符号を付して説明を省略する。
【００６４】
（Ａ）は，転送用縮小画像データ送受信時の様子である。
【００６５】
送信側の表示画面７Ａには，転送用縮小画像72Ａが正立状態から時計回りに90度の角度回転するようにして重ねられる画像が表示される。受信側の表示画面７Ｂには，「受信確立中」の文字が表示される。
【００６６】
（Ｂ）は，（Ａ）に示す送信側の表示画面７Ａを示している。
【００６７】
回転前の転送用縮小画像73Ａは，送信側カメラ１Ａの上方向が上となっている正立状態にある。転送用縮小画像73Ａが90度回転しながら入出力部８Ａに移動することにより，正立状態から90度の角度回転した転送用縮小画像74Ａが得られる。但し，転送用縮小画像74Ａは，表示画面７Ａの右端に接する前に90度の時計回りに回転が終了する。回転した転送用縮小画像74Ａがその後表示画面７Ａの右端に移動する。上述したように，このような転送用縮小画像74Ａが転送用縮小画像データ送信時に重ねられることとなる。
【００６８】
（Ｃ）は，本画像データ送受信時の様子である。
【００６９】
送信側の表示画面７Ａには，上述のように転送用縮小画像72Ａが重ねられて表示されている。重ねられている転送用縮小画像72Ａが一駒ずつ入出力部８Ａ側に移動する画像が表示される。
【００７０】
受信側の表示画面７Ｂには，縦になっていた転送用縮小画像72Ｂが時計方向に90度回転しながら正立状態となるような画像が表示される。
【００７１】
（Ｄ）は，（Ｃ）に示す受信側の表示画面７Ｂを示している。
【００７２】
表示画面７Ｂの左側（入出力部８Ｂ側）に位置している転送用縮小画像73Ｂは上述したように縦方向に表示されている。縦方向の状態で移動した後で，転送用縮小画像73Ｂが時計方向に90度回転しながら入出力部８Ｂから離れるように移動することにより，正立状態の転送用縮小画像74Ｂが得られる。
【００７３】
図11（Ａ）〜（Ｃ）は，さらに他の変形例を示している。
【００７４】
（Ａ）は，転送用縮小画像データ送受信時の様子を示している。
【００７５】
転送用縮小画像データ送受信時においては，送信側の表示画面７Ａには，転送用縮小画像75Ａが重ねられていく画像が表示される。受信側の表示画面７Ｂには，「受信確立中」の文字が表示される。
【００７６】
（Ｂ）は，本画像データ送受信時の様子を示している。
【００７７】
本画像データ送受信時には，送信側の表示画面７Ａには，転送用縮小画像75Ａが正立状態から時計回りに90度回転させられる。受信側の表示画面７Ｂには，転送用縮小画像75Ｂが縦の状態から正立状態となるように時計回りにさらに90度回転させられる。
【００７８】
（Ｃ）は，送信側の表示画面７Ａと受信側の表示画面７Ｂとを示している。
【００７９】
上述のように，送信側の表示画面７Ａには正立状態の転送用縮小画像76Ａが表示され，時計回りに90度回転させられて転送用縮小画像77Ａが表示される。受信側の表示画面７Ｂには縦の転送用縮小画像76Ｂが表示される。この転送用縮小画像76Ｂが時計回りにさらに90度回転させられることにより正立状態の転送用縮小画像77Ｂが得られる。
【００８０】
図12（Ａ）および（Ｂ）は，さらに他の変形例を示している。この変形例では，転送用縮小画像データ送受信時は，図11に示すものと同じとなる。
【００８１】
（Ａ）は，本画像データ送受信時の様子を示している。
【００８２】
送信側の表示画面７Ａおよび受信側の表示画面７Ｂには，転送用縮小画像78Ａおよび78Ｂが回転しながら送信側のカメラ１Ａから受信側のカメラ１Ｂに移動する画像が表示される。
【００８３】
（Ｂ）は，送信側の表示画面７Ａと受信側の表示画面７Ｂとを示している。
【００８４】
送信側の表示画面７Ａにおいては，正立状態にある転送用縮小画像79Ａ，80Ａが時計回りに90度回転させられて転送用縮小画像81Ａが得られる。90度回転させられた転送用縮小画像81Ａは，90度回転させられた状態では横方向に移動することなく，受信側の表示画面７Ｂにおいて縦の転送用縮小画像79Ｂとなり時計回りにさらに90度回転した転送用縮小画像80Ｂ，81Ｂが表示される。
【００８５】
図13（Ａ）および（Ｂ）は，さらに他の変形例を示している。この変形例においても，転送用縮小画像データ送受信時は，図11に示すものと同じとなる。
【００８６】
（Ａ）は本画像データ送受信時の様子を示している。
【００８７】
送信側の表示画面７Ａには，正立状態の転送用縮小画像82Ａが一駒ずつ入出力部８Ａに移動しているものが表示される。受信側の表示画面７Ｂにも正立状態の転送用縮小画像82Ａが一駒ずつ入出力部８Ｂから離れるように移動しているものが表示される。この変形例においては，回転する様子は表示されない。
【００８８】
（Ｂ）は，送信側の表示画面７Ａと受信側の表示画面７Ｂとを示している。
【００８９】
上述のように，送信側の表示画面７Ａにおいては，転送用縮小画像83Ａが正立状態で入出力部８Ａに移動させられる。受信側の表示画面７Ｂにおいては，転送用縮小画像84Ｂが正立状態で移動させられる。
【００９０】
図14は，さらに他の変形例を示すもので，本画像データ送受信時の様子を示している。転送用縮小画像データの送受信時は，図11に示すものと同じである。
【００９１】
送信側の表示画面７Ａには，正立状態の転送用縮小画像84Ａが入出力部８Ａに向かって移動しながら徐々に，小さくなっている画像が表示される。受信側の表示画面７Ｂには，送信側の表示画面７Ａにおいて徐々に小さくなっている転送用縮小画像が徐々に大きくなりながら入出力部８Ｂから離れるように移動する転送用縮小画像84Ｂが表示される。このような縮小処理も画像処理装置13において行われるのはいうまでもない。
【００９２】
図15（Ａ）〜（Ｄ）は，さらに他の実施例を示している。
【００９３】
（Ａ）は，転送用縮小画像データ送受信時の様子を示している。
【００９４】
送信側の表示画面７Ａには正立状態の転送用縮小画像85Ａが時計回り（反時計回りでもよい）に180度回転させられる（上下が反転させられた）画像が表示される。受信側の表示画面７Ｂには「受信確立中」の文字が表示される。反転させられた転送用縮小画像85Ａが重ねられる。
【００９５】
（Ｂ）は，送信側表示画面７Ｂを示している。
【００９６】
転送用縮小画像86が正立状態とされている。正立状態とされている転送用縮小画像86が時計回りまたは反時計回りに180度回転させられることにより，上下が反転した転送用縮小画像87Ａが送信側表示画面７Ｂに表示される。
【００９７】
（Ｃ）は，本画像データ送受信時の様子を示している。
【００９８】
上下が反転させられた転送用縮小画像85Ａが一駒ずつ入出力部８Ａ側に移動する画像が送信側の表示画面７Ａに表示される。受信側の表示画面７Ｂには，正立状態の転送用縮小画像85Ｂが一駒ずつ入出力部８Ｂから離れるように横方向に移動する画像が表示される。
【００９９】
（Ｄ）は，受信側の表示画面７Ｂの一例である。
【０１００】
上述したように転送用縮小画像86Ｂは正立状態であり，この正立状態の転送用縮小画像86Ｂが入出力部８Ｂから離れるように移動する（転送用縮小画像87Ｂ）。
【０１０１】
上述の実施例においては，ディジタル・スチル・カメラを用いて画像データの送受信が行われているが，その他の携帯型機器を用いて画像データの送受信が行われるようにしてもよい。また，上述の実施例においては赤外線通信を用いて画像データの送受信が行われているがその他の無線通信を用いて画像データの送受信が行われてもよいし，有線通信を用いて画像データの送受信が行われてもよい。
【図面の簡単な説明】
【０１０２】
【図１】ディジタル・スチル・カメラの背面図である。
【図２】ディジタル・スチル・カメラの電気的構成を示すブロック図である。
【図３】画像データの送受信時の様子を示している。
【図４】送信側カメラの処理手順の一部を示すフローチャートである。
【図５】送信側カメラの処理手順の一部を示すフローチャートである。
【図６】受信側カメラの処理手順の一部を示すフローチャートである。
【図７】受信側カメラの処理手順の一部を示すフローチャートである。
【図８】画像データの送受信時の様子を示している。
【図９】（Ａ）および（Ｂ）は画像データの送受信時の様子を示している。
【図１０】（Ａ）および（Ｃ）は画像データの送受信時の様子を，（Ｂ）は送信側表示画面の一例を，（Ｄ）は受信側表示画面の一例をそれぞれ示している。
【図１１】（Ａ）および（Ｂ）は画像データの送受信時の様子を，（Ｃ）は送信側および受信側表示画面の一例を示している。
【図１２】（Ａ）は画像データの送受信時の様子を，（Ｂ）は送信側および受信側表示画面の一例を示している。
【図１３】（Ａ）は画像データの送受信時の様子を，（Ｂ）は送信側および受信側表示画面の一例を示している。
【図１４】画像データの送受信時の様子を示している。
【図１５】（Ａ）および（Ｃ）は画像データの送受信時の様子を，（Ｂ）は送信側表示画面の一例を，（Ｄ）は受信側表示画面の一例をそれぞれ示している。
【符号の説明】
【０１０３】
１  ディジタル・スチル・カメラ
１Ａ  送信側ディジタル・スチル・カメラ
１Ｂ  受信側ディジタル・スチル・カメラ
７  表示画面
７Ａ  送信側表示画面
７Ｂ  受信側表示画面
８，８Ａ，８Ｂ  入出力部
10  ＣＰＵ
13  画像処理装置
15  液晶表示装置
16  赤外線通信装置
９，71Ａ〜87Ａ，71Ｂ〜87Ｂ  転送用縮小画像
【図１】
0004621157.tif 000002
【図２】
0004621157.tif 000003
【図３】
0004621157.tif 000004
【図４】
0004621157.tif 000005
【図５】
0004621157.tif 000006
【図６】
0004621157.tif 000007
【図７】
0004621157.tif 000008
【図８】
0004621157.tif 000009
【図９】
0004621157.tif 000010
【図１０】
0004621157.tif 000011
【図１１】
0004621157.tif 000012
【図１２】
0004621157.tif 000013
【図１３】
0004621157.tif 000014
【図１４】
0004621157.tif 000015
【図１５】
0004621157.tif 000016